(57)【要約】【課題】既存の無線ネットワーク状況で物理層から支援する最大のＭＡＣフレームサイズの情報を利用し、ネットワークデバイス間の最大ＭＳＤＵを決定して最大限転送速度を速める装置及び方法を提供する。【解決手段】上位プロトコルからＭＡＣ層にデータを送受信するサービスを提供するＭＡＣ ＳＡＰ、他のネットワークノード及びマネージメントパケットを送受信するサービスを提供するＭＬＭＥ ＳＡＰ、前記上位プロトコルから受信されたデータを利用してＭＡＣフレームのフォーマットに合うＭＡＣフレームを生成するパケタイザモジュール、前記マネジメントパケットを通じて得た最大ＭＳＤＵサイズ及び前記ネットワークノードのＭＡＣアドレスを保存し、チャンネル状態によってフラグメンテーションしきい値を調節するＭＳＤＵネゴシエーションモジュールよりなる無線に適したＭＡＣフレーム送信装置。【選択図】図４
2004336748.tif 000002
【特許請求の範囲】
【請求項１】
上位プロトコルからＭＡＣ層にデータを送受信するサービスを提供するＭＡＣ ＳＡＰと、
他のネットワークノード及びマネージメントパケットを送受信するサービスを提供するＭＬＭＥ ＳＡＰと、
前記上位プロトコルから受信されたデータを利用してＭＡＣフレームのフォーマットに合うＭＡＣフレームを生成するパケタイザモジュールと、
前記マネジメントパケットを通じて得た他のネットワークノードの最大ＭＳＤＵサイズ及びデスティネーションＭＡＣアドレスを保存し、転送されたフレームの失敗率と物理層から受信されるパケットの受信強度とを比較して決定される送受信チャンネル状態によってフラグメンテーションしきい値を調節し、それによってＭＡＣフレームサイズを調節するＭＳＤＵネゴシエーションモジュールと、を含むことを特徴とする無線に適したＭＡＣフレーム送信装置。
【請求項２】
フラグメンテーションしきい値によって前記生成されたＭＡＣフレームを複数個に分けて送るフラグメンテーションモジュールをさらに含むことを特徴とする請求項１に記載の無線に適したＭＡＣフレーム送信装置。
【請求項３】
ＡＣＫを含むフレームが転送された場合に、受信されるＡＣＫフレームによって転送されたフレームの転送成功如何を判断するＡＣＫチェックモジュールと、
前記転送されたフレームの失敗率と物理層から受信されるパケットの受信強度とを比較して現在チャンネル状態を点検するチャンネル状態点検モジュールと、をさらに含むことを特徴とする請求項１に記載の無線に適したＭＡＣフレーム送信装置。
【請求項４】
ＭＡＣ層で形成されたヘッダを除去するデパケタイザモジュールと、
ＭＡＣ層から上位プロトコルにデータを送受信するサービスを提供するＭＡＣ ＳＡＰと、
他のネットワークノード及びマネジメントパケットを送受信するサービスを提供するＭＬＭＥ ＳＡＰと、
前記受信されたマネジメントパケットを通じて前記他のネットワークノードのＭＳＤＵサイズ情報を判別し、マネジメントパケットを通じて自体が属しているネットワークノードのＭＳＤＵサイズ情報を送信するＭＳＤＵネゴシエーションモジュールと、を含むことを特徴とする無線に適したＭＡＣフレーム受信装置。
【請求項５】
前記ネットワークノードから受信されたＭＡＣフレームのＣＲＣをチェックしてエラー有無を判断するＣＲＣチェックモジュールと、
前記判断結果を提供されてＡＣＫフレームを生成するＡＣＫ生成モジュールと、をさらに含むことを特徴とする請求項４に記載の無線に適したＭＡＣフレーム受信装置。
【請求項６】
フラグメントよりなるＭＡＣフレームを一つのフレームに形成してＭＡＣ ＳＡＰに伝達するデフラグメンテーションモジュールをさらに含むことを特徴とする請求項４または５に記載の無線に適したＭＡＣフレーム受信装置。
【請求項７】
マネジメントフレーム（ａ）を利用して送信側ノードの最大ＭＳＤＵサイズ（ａ１）をブロードキャストする段階と、
前記ブロードキャストに応答するネットワークノードから最大ＭＳＤＵサイズ（ｂ１）情報を含むマネジメントフレーム（ｂ）を受信する段階と、
前記受信したマネジメントフレーム（ｂ）から前記応答するネットワークノードのＭＳＤＵサイズ情報及びＭＡＣアドレスをデスティネーションリストに保存する段階と、
前記デスティネーションリストに保存された前記ネットワークノードの最大ＭＳＤＵサイズと前記送信側ノードの最大ＭＳＤＵサイズとを比較して判断する段階と、
前記判断結果によってＭＡＣフレームを前記応答するネットワークノードに送信する段階と、を含むことを特徴とする無線に適したＭＡＣフレーム送信方法。
【請求項８】
前記ＭＡＣフレームを送信する段階は、前記応答するネットワークノードの最大ＭＳＤＵサイズが前記送信側ノードの最大ＭＳＤＵサイズより大きい場合には、前記送信側ノードの最大ＭＳＤＵを一つのＭＡＣフレームに入れて転送する段階と、
前記ネットワークノードの最大ＭＳＤＵサイズが前記送信側ノードの最大ＭＳＤＵサイズより小さな場合には、前記応答するネットワークノードの最大ＭＳＤＵに基づいてフレームをフラグメンテーションした後、それぞれのフラグメンテーションされたフレームをＭＡＣフレームに入れて転送する段階と、を含むことを特徴とする請求項７に記載の無線に適したＭＡＣフレーム送信方法。
【請求項９】
前記ＭＡＣフレームにＡＣＫが含まれている場合には、前記ＭＡＣフレームの成功如何及び受信される電波の強度によって現在のＭＳＤＵサイズを修正する段階をさらに含むことを特徴とする請求項７または８に記載の無線に適したＭＡＣフレーム送信方法。
【発明の詳細な説明】
【技術分野】
【０００１】
本発明は、ネットワーク上で各ネットワークデバイス間のデータ送受信においてデータの転送速度を速める装置及び方法に係り、より詳細には、既存の無線ネットワーク状況で物理層から支援する最大のＭＡＣフレームサイズの情報を利用し、ネットワークデバイス間の最大ＭＳＤＵ（ＭＡＣ Ｓｅｒｖｉｃｅ Ｄａｔａ Ｕｎｉｔ）を決定して最大限転送速度を速める装置及び方法に関する。
【背景技術】
【０００２】
既存のネットワーク通信ではそれぞれの標準別にＭＡＣ層フレームサイズが固定されているが、これは、物理層で送れる最大サイズを考慮せずにＭＡＣ層では固定サイズのフレームを使用するため、効率的にＭＡＣフレームを転送できない問題があった。
【０００３】
ＩＥＥＥ ８０２．１１の場合、図１のようにＭＡＣ層のフレームの最大ＭＳＤＵサイズは２３０４バイトに決まっている。フレームボディはＩＶ（Ｉｎｉｔｉａｌｉｚａｔｉｏｎ Ｖｅｃｔｏｒ）４バイト、内容２３０４バイト及びＩＣＶ（Ｉｎｔｅｇｒｉｔｙ Ｃｈｅｃｋ Ｖａｌｕｅ）４バイトを合せて２３１２バイトであり、そして最大ＭＰＤＵ（ＭＡＣ Ｐｒｏｔｏｃｏｌ Ｄａｔａ Ｕｎｉｔ）サイズは２３３６バイトである。しかし、周波数跳躍拡散スペクトル方式を使用する物理層では４０９５バイト ＭＰＤＵまで送ることができる。ここで、周波数跳躍拡散スペクトル方式とは、ＤＳＳＳ（Ｄｉｒｅｃｔ Ｓｅｑｕｅｎｃｅ Ｓｐｒｅａｄ Ｓｐｅｃｔｒｕｍ）方式などのスペクトル拡散方式の一つであって、周波数を固定させずに経時的に変化させて送信する方式、すなわち、送信側及び受信側で周波数位置を変化させて通信する方式をいう。
【０００４】
ＤＳＳＳ方式を使用する物理層では最大８１９１バイトのＭＰＤＵを送ることができ、赤外線（ＩＲ；Ｉｎｆｒａｒｅｄ）方式の物理層では２５００バイトになっている。そして、ＩＥＥＥ ８０２．１１ａ及びＩＥＥＥ ８０２．１１ｂの物理層では４０９５バイトまで送ることができ、ＵＷＢ（Ｕｌｔｒａ−ｗｉｄｅｄ Ｂａｎｄ）ではさらに大きいＭＡＣフレームを送ることができる。
【０００５】
図２では、ＭＡＣフレーム、すなわち、ＭＰＤＵは物理層のＰＬＣＰ（Ｐｈｙｓｉｃａｌ Ｌａｙｅｒ Ｃｏｎｖｅｒｇｅｎｃｅ Ｐｒｏｔｏｃｏｌ）で再びＰＬＣＰプリアンブル（ＰＬＣＰ Ｐｒｅａｍｂｌｅ）とＰＬＣＰヘッダとを合せてＰＰＤＵ（ＰＬＣＰ ＰＤＵ）を得る。このように各フレーム毎に物理層で必要なプリアンブル（Ｐｒｅａｍｂｌｅ）とヘッダ、そして各フレーム間に必要なフレームスペース、そしてＵＷＢではチャンネル獲得時間が長いために、フレームサイズが小さいほどオーバーヘッドが増加して全体の転送速度が落ちる。
【０００６】
図３で一つのフレームを転送するためにはＩＦＳ（Ｉｎｔｅｒ Ｆｒａｍｅ Ｓｐａｃｅ）が必要であり、各フレームに対するＡＣＫパケットも存在しうる。このような状況によれば、最大限のフレームを送らなければ不要になるＩＦＳ及びＡＣＫフレーム数の増加、そしてＭＡＣヘッダ、ＰＬＣＰプリアンブル、ＰＬＣＰヘッダによって全体転送速度が遅くなる。
【０００７】
デジタルメディアの拡散及び発展につれて日常生活でＤＶＤプレーヤー、ケーブルＳＴＢ、ＤＶＣＲ、ＤＴＶなどのデジタル製品を頻繁に使用するようになるが、特にこのような機器が無線ネットワークに連結される環境でオーディオ／ビデオストリーム（Ａ／Ｖ Ｓｔｅａｍ）、各種データは限定された無線ネットワーク帯域幅内で転送されるために、無線環境で転送速度を向上させる必要がある。
【発明の開示】
【発明が解決しようとする課題】
【０００８】
前記問題点を解決するために、本発明の目的は、既存の無線ネットワーク状況で物理層から支援する最大ＭＡＣフレームサイズの情報を利用し、ネットワークデバイス間のネゴシエーションを通じて最大ＭＳＤＵを決定して最大限転送速度を速める方法を提供するところにある。
【０００９】
前記問題点を解決するために、本発明の他の目的は、前記のように物理層から支援する最大ＭＡＣフレームサイズの情報を利用し、デバイス間のネゴシエーションを通じて最大ＭＳＤＵを決定するに当って、チャンネル状況により使用しようとする最大ＭＳＤＵを修正する方法を提供するところにある。
【課題を解決するための手段】
【００１０】
前記目的を達成するために本発明は、マネジメントパケットを通じて得た他のネットワークノードの最大ＭＳＤＵサイズ及びデスティネーションＭＡＣアドレスを保存し、転送されたフレームの失敗率と物理層から受信されるパケットの受信強度とを比較して決定される送受信チャンネル状態によってフラグメンテーションしきい値を調節し、それによってＭＡＣフレームサイズを調節することを特徴とする。
【００１１】
前記目的を達成するために、本発明の無線に適したＭＡＣフレーム送信装置は、上位プロトコルからＭＡＣ層にデータを送受信するサービスを提供するＭＡＣ ＳＡＰ、他のネットワークノード及びマネージメントパケットを送受信するサービスを提供するＭＬＭＥ ＳＡＰ、前記上位プロトコルから受信されたデータを利用してＭＡＣフレームのフォーマットに合うＭＡＣフレームを生成するパケタイザモジュール、前記マネジメントパケットを通じて得た最大ＭＳＤＵサイズ及び前記ネットワークノードのＭＡＣアドレスを保存し、チャンネル状態によってフラグメンテーションしきい値を調節するＭＳＤＵネゴシエーションモジュールを含むことを特徴とする。
【００１２】
前記目的を達成するために、本発明の無線に適したＭＡＣフレーム受信装置は、ＭＡＣ層で形成されたヘッダを除去するデパケタイザモジュール、ＭＡＣ層から上位プロトコルにデータを送受信するサービスを提供するＭＡＣ ＳＡＰ、他のネットワークノード及びマネジメントパケットを送受信するサービスを提供するＭＬＭＥ ＳＡＰ、前記マネジメントパケットを用いて前記ネットワークノードの最大ＭＳＤＵサイズ及びＭＡＣアドレスを保存し、他のマネジメントパケットを用いて自体の最大ＭＳＤＵサイズを転送するＭＳＤＵネゴシエーションモジュールと、を含むことを特徴とする。
【００１３】
前記目的を達成するために、本発明の無線に適したＭＡＣフレーム送信方法は、本発明のマネジメントフレームを利用して自体の最大ＭＳＤＵサイズをブロードキャストする段階と、前記ブロードキャストに応答するネットワークノードから最大ＭＳＤＵサイズ情報を含むマネジメントフレームを受信する段階、前記受信したマネジメントフレームから前記ネットワークノードのＭＳＤＵサイズ情報及びＭＡＣアドレスをデスティネーションリストに保存する段階、前記デスティネーションリストに保存された前記ネットワークノードの最大ＭＳＤＵサイズと自体の最大ＭＳＤＵサイズとを比較して判断する段階、前記判断結果によってＭＡＣフレームを送信する段階を含むことを特徴とする。
【００１４】
前記目的を達成するために、本発明の無線に適したＭＡＣフレーム受信方法は、他のネットワークノードからブロードキャストフレームを受信して前記ネットワークノードの最大ＭＳＤＵサイズ及びＭＡＣアドレスをデスティネーションリストに保存する段階、前記ネットワークノードに自体の最大ＭＳＤＵサイズ情報を含むマネジメントフレームを送信する段階、前記ネットワークノードからＭＡＣフレームを受信する段階を含むことを特徴とする。
【発明の効果】
【００１５】
一つのＭＡＣフレームを送るためにＭＡＣヘッダとＰＬＣＰプリアンブル、ＰＬＣＰヘッダ、そしてフレーム間のＩＦＳ、ＡＣＫフレームなどが必要である。したがって、ＭＡＣフレームを送る場合に最大のサイズに送ればそれ自体でも同じデータを送る時にさらに効率的なだけでなく、フラグメンテーションされたデータを送る場合にフラグメント数を減らすことによって前記各ヘッダとＡＣＫ、ＩＦＳなどを減らすことができてさらに速い転送速度を得られる。
【発明を実施するための最良の形態】
【００１６】
以下、添付した図面によって発明の一実施例を詳細に説明する。
【００１７】
図４は、本発明による送信装置でのＭＡＣ構造図を示したブロック図である。これを参照すれば、前記送信装置は、ＭＡＣ ＳＡＰ ４１０、フラグメンテーションモジュール４２０、パケタイザモジュール４３０、ＭＬＭＥ ＳＡＰ ４５０、ＡＣＫチェックモジュール４６０及びＭＡＣフレーム管理装置４０１で構成される。また、前記ＭＡＣフレーム管理装置４０１は、デスティネーションリスト４７０、ＭＳＤＵネゴシエーションモジュール４８０及びチャンネル状態チェックモジュール４９０で構成される。
【００１８】
前記ＭＡＣ ＳＡＰ ４１０は自体的に上位プロトコル、すなわち、ＬＬＣ層のプロトコルからＭＡＣにデータを送受信可能にするサービスを提供する。一般的にＳＡＰ（Ｓｅｒｖｉｃｅ Ａｃｃｅｓｓ Ｐｏｉｎｔ）は上位階層のプロトコル及びデータを送受信する通路の役割を担当する。
【００１９】
前記ＭＬＭＥ ＳＡＰ ４５０は、他のネットワークノード（デバイス）とマネジメントパケットをやり取りできるサービスを提供する。特に本発明では、最大ＭＳＤＵサイズを決定するために自体の最大ＭＳＤＵをマネジメントパケットを利用してブロードキャストし、その質問に対して相手の最大ＭＳＤＵをユニキャスト応答として受信する機能を行う。データをキャストする方法としては前記ユニキャスト以外にもブロードキャスト、マルチキャストがあるが、ユニキャストはデータの受信対象が一つであり、ブロードキャストはネットワークに連結された全体ノードを受信対象とし、マルチキャストはネットワークに連結された一部分のノードを受信対象とする。
【００２０】
前記ＭＳＤＵネゴシエーションモジュール４８０は、ＭＬＭＥ ＳＡＰを利用して得た最大ＭＳＤＵサイズを相手のネットワークノードのＭＡＣアドレスと共にデスティネーションリスト４７０に保存して管理し、送受信チャンネル状態によってフラグメンテーションしきい値を調節する機能を提供する。フラグメンテーションしきい値を高めすぎれば通信速度は向上するが、エラー率が高くなり、逆に低めすぎればエラー率は低くなるが、通信速度が低下する恐れがあるために適切な値に定める必要がある。
【００２１】
前記フラグメンテーションモジュール４２０は、フラグメンテーションしきい値によってＭＡＣフレームを複数個のフレームに分けて送り、前記パケタイザモジュールはＭＡＣフレームのフォーマットに合うフレームを生成する機能を提供する。
【００２２】
前記ＡＣＫチェックモジュール４６０はＡＣＫ政策によって、ＡＣＫを含むフレームを転送した場合には受信されるＡＣＫフレームを見て転送されたフレームの成功または失敗を判断する機能を提供する。そして、その結果をチャンネル状態点検モジュール４９０にも提供する。
【００２３】
前記チャンネル状態点検モジュールは、ＡＣＫチェックモジュール４６０から転送されるフレームの失敗率と、物理層から受信されるパケットの受信強度とを比較して現在送受信チャンネルの状態をモニターする機能を提供する。
【００２４】
図５は、本発明による受信装置でのＭＡＣ構造図を示したブロック図である。これを参照すれば、前記送信装置は、ＭＡＣ ＳＡＰ ４１０、デパケタイザモジュール５３０、デフラグメンテーションモジュール５２０、ＭＬＭＥ ＳＡＰ ４５０、ＣＲＣチェックモジュール５５０、ＡＣＫ生成モジュール５４０及びＭＡＣフレーム管理装置４０１で構成される。前記図４での構成要素と共通する部分については重複的な説明を避けるために図５だけに存在する構成要素についてのみ説明する。
【００２５】
前記デパケタイザモジュール５３０は、ＭＡＣ層で形成されたヘッダを除去する機能を提供し、前記デフラグメンテーションモジュール５２０は、フラグメント化されたＭＡＣフレームを一つのフレームに形成してＭＡＣ ＳＡＰ ４１０に伝達する機能を提供する。そして、前記ＣＲＣチェックモジュール５５０は受信されたＭＡＣフレームのＣＲＣをチェックしてエラー有無を判断し、その結果をＡＣＫ生成モジュール５４０に提供する。また、前記ＡＣＫ生成モジュール５４０は、ＡＣＫ政策にしたがいＣＲＣチェックの結果によってＡＣＫフレームを転送する。
【００２６】
また、前記ＭＳＤＵネゴシエーションモジュール４８０は、最大ＭＳＤＵに対するマネジメントパケットを受信すれば、相手のネットワークノードのＭＡＣアドレス及び最大ＭＳＤをデスティネーションリストに保存し、自体の最大ＭＳＤＵをマネジメントパケットを利用して転送する。
【００２７】
図６は、本発明による送信装置での動作を示したフローチャートである。これを参照すれば、第１ネットワークノード（送信側ノード）は、無線ネットワーク内にある既存の他のネットワークノードと通信する場合に、ＭＳＤＵネゴシエーションモジュールでマネジメントフレームを利用して自体の最大ＭＳＤＵサイズをブロードキャストする（Ｓ６１０）。前記ブロードキャストフレームを受信したネットワークノードのうち本発明の機能を提供する第２ネットワークノード（受信側ノード）は、第１ネットワークノードのＭＳＤＵサイズ及びＭＡＣアドレスをデスティネーションリストに保存した後、ユニキャスト方法で自体の最大ＭＳＤＵサイズ情報をマネジメント応答フレームを通じて第１ネットワークノードに転送する（Ｓ６２０）。第１ネットワークノードはいろいろな機器から受信したマネジメント応答フレームから最大ＭＳＤＵサイズ情報及び第１ネットワークノードのＭＡＣアドレスを抽出してデスティネーションリストに保存する（Ｓ６３０）。この時、本発明の動作を支援しない第２ネットワークノードの場合には何のマネジメント応答フレームも受信せず、この場合にＭＳＤＵサイズは各機器の仕様で指定する値となる。
【００２８】
第１ネットワークノードはＭＡＣ ＳＡＰを通じてデータを転送する場合、転送されるデータの最大ＭＳＤＵサイズは、自体の物理層で支援する値でＭＴＵ（Ｍａｘｉｍｕｍ Ｔｒａｎｓｍｉｔ Ｕｎｉｔ）を定めた後、デスティネーションアドレスを参照してデスティネーションリストに現れた第２ネットワークノードの最大ＭＳＤＵサイズと自体の最大ＭＳＤＵサイズとを比較して（Ｓ６４０）、第２ネットワークノードの最大ＭＳＤＵサイズが自体の最大ＭＳＤＵサイズより大きいか、または同じである場合には自体の最大ＭＳＤＵを一つのフレームに入れて転送し（Ｓ６５０）、小さい場合には第２ネットワークノードの最大ＭＳＤＵでフラグメンテーションして転送する（Ｓ６６０）。受信側では自体が受信できる最大のサイズにフレームを受信し、仮りにフラグメントになっていれば再びデフラグメンテーションして上位層に伝達する。
【００２９】
ＡＣＫ政策によってＡＣＫを含むフレームを転送した場合には、受信されるＡＣＫフレームを見て転送されたフレームの成功または失敗を判断し（Ｓ６７０）、その判断結果及び前記受信されたＡＣＫフレームの受信強度にしたがい第２ネットワークノードに対する現在のＭＳＤＵサイズを修正できる（Ｓ６８０）。すなわち、デスティネーションリストにはデスティネーションネットワークノードのＭＡＣアドレス、最大ＭＳＤＵ、現在のＭＳＤＵが保存されており、初期には現在のＭＳＤＵは最大ＭＳＤＵ値を持つ。第２ネットワークノードの現在のＭＳＤＵと自体のＭＳＤＵ、そしてフラグメンテーションしきい値、ＭＩＢ（Ｍａｎａｇｅｍｅｎｔ Ｉｎｆｏｒｍａｔｉｏｎ Ｂａｓｅ）の最小値によってフラグメンテーションが決定される。ここでＭＩＢとは、ＳＮＭＰ（Ｓｉｍｐｌｅ Ｎｅｔｗｏｒｋ Ｍａｎａｇｅｍｅｎｔ Ｐｒｏｔｏｃｏｌ；ネットワークや機器の管理・監視をするためのプロトコル）を利用して管理されうる一連のネットワーク客体に関する形式的な説明をいう。
【００３０】
図７は、本発明による受信装置での動作を示したフローチャートであって、図６の第２ネットワークノードの動作に関するものである。これを参照すれば、第１ネットワークノードからブロードキャストフレームを受信して第１ネットワークノードの最大ＭＳＤＵサイズ及びＭＡＣアドレスをデスティネーションリストに保存し（Ｓ７１０）、第１ネットワークノードに自体の最大ＭＳＤＵサイズ情報を含むマネジメントフレームを送信する（Ｓ７２０）。前記フレームを受信した第１ネットワークノードは図６のＳ６４０、Ｓ６５０、Ｓ６６０の説明と同じく、自体のＭＳＤＵサイズと第２ネットワークノードの最大ＭＳＤＵサイズとを比較した結果によって適切なサイズのフレームを送信すれば、前記第２ネットワークノードは前記フレームを受信する（Ｓ７３０）。
【００３１】
前記転送されたフレームを受信した第２ネットワークノードは、前記フレームがフラグメンテーションされたものであれば、デフラグメンテーションモジュールでフラグメントよりなるＭＡＣフレームを一つのフレームに形成する（Ｓ７４０、Ｓ７５０）。前記フレームがフラグメンテーションされたものでなければ、それ自体が一つの完全なフレームであるためにデフラグメンテーション過程を経る必要がない。次の段階として、前記ＭＡＣフレームのＣＲＣをチェックしてエラー有無を判断し（Ｓ７６０）、前記判断結果をＡＣＫ生成モジュールに提供し（Ｓ７７０）、ＣＲＣチェック結果を含むＡＣＫフレームを前記第１ネットワークノードに送信する（Ｓ７８０）。
【００３２】
以上、本発明を望ましい実施例を例として詳細に説明したが、本発明は前記実施例に限定されず、本発明の技術的思想の範囲内で当業者によって色々な変形が可能である。
【産業上の利用可能性】
【００３３】
本発明は、ネットワーク上で各ネットワークデバイス間のデータ送受信においてデータの転送速度を速められるので、無線ネットワーク環境で有用に利用される。
【図面の簡単な説明】
【００３４】
【図１】ＩＥＥＥ ８０２．１１ ＭＡＣフレーム構造を簡単に示した図面である。
【図２】ＩＥＥＥ ８０２．１１ ＰＬＣＰフレームの構造を簡単に示した図面である。
【図３】ＩＥＥＥ ８０２．１１ 方向フレーム（Ｄｉｒｅｃｔｅｄ Ｆｒａｍｅ）とＡＣＫ及びＩＦＳ構造を示した図面である。
【図４】本発明による送信装置でのＭＡＣ構造を示したブロック図である。
【図５】本発明による受信装置でのＭＡＣ構造を示したたブロック図である。
【図６】本発明による送信装置での動作を示したフローチャートである。
【図７】本発明による受信装置での動作を示したフローチャートである。
【符号の説明】
【００３５】
４００  送信装置
４０１  ＭＡＣフレーム管理装置
４１０  ＭＡＣ ＳＡＰ
４２０  フラグメンテーションモジュール
４３０  パケタイザモジュール
４４０  物理層
４５０  ＭＬＭＥ ＳＡＰ
４６０  ＡＣＫチェックモジュール
４７０  デスティネーションリスト
４８０  ＭＳＤＵネゴシエーションモジュール
４９０  チャンネル状態チェックモジュール
【図１】
2004336748.tif 000003
【図２】
2004336748.tif 000004
【図３】
2004336748.tif 000005
【図４】
2004336748.tif 000006
【図５】
2004336748.tif 000007
【図６】
2004336748.tif 000008
【図７】
2004336748.tif 000009